(57)【要約】【課題】  帆立貝の成長過程での運動や、波浪、海中におけるロープの揺れ等の影響でロープに係止されている係止ピンが回転して反転し、帆立貝が反転した係止部から脱落するのを防止するようにした係止ピンを提供したい。【解決手段】  中間部に主たる軸部３と平行な段差軸部４を備えるクランク軸状の軸部材２と、軸部材の主たる軸部の両端部に帆立貝を係止する帆立貝係止部７，７を備え、段差軸部の両端部と主たる軸部とを繋ぐ連結部５，５を、段差軸部の径方向外方に延出し、段差軸部の軸部分を軸方向に離間して挟む２本のロープ抜止部６，６を設けた合成樹脂製の帆立貝係止ピン。【選択図】      図１
0003114616.tif 000002
【実用新案登録請求の範囲】
【請求項１】
中間部に主たる軸部と平行な段差軸部を備えるクランク軸状の軸部材と、該軸部材の主たる軸部の両端部に帆立貝を係止する帆立貝係止部を備え、
前記段差軸部の両端部と主たる軸部とを繋ぐ連結部を、段差軸部の径方向外方に延出し、該段差軸部の軸部分を軸方向に離間して挟む２本のロープ抜止部を設けた、
ことを特徴とする合成樹脂製の帆立貝係止ピン。
【請求項２】
中間部に主たる軸部と平行な段差軸部を備えるクランク軸状の軸部材と、該軸部材の主たる軸部の両端部に帆立貝を係止する帆立貝係止部を備え、
前記段差軸部の軸部分の軸方向両側部に、該軸部分の軸方向に離間し、径方向外方に突出する２本のロープ抜止部を設けた、
ことを特徴とする合成樹脂製の帆立貝係止ピン。
【請求項３】
中間部に主たる軸部と平行な段差軸部を備えるクランク軸状の軸部材と、該軸部材の主たる軸部の両端部に帆立貝を係止する帆立貝係止部を備え、
前記主たる軸部の径方向外方に２本のロープ抜止部を突設し、該ロープ抜止部は前記段差軸部の両端部と主たる軸部とを繋ぐ連結部の軸方向外方に近接して設けた、
ことを特徴とする合成樹脂製の帆立貝係止ピン。
【請求項４】
前記主たる軸部と段差軸部の両端部とを繋ぐ連結部は、対称的に軸方向外方に傾斜していることを特徴とする請求項１〜請求項３の何れか１項に記載の帆立貝係止ピン。
【請求項５】
前記２本のロープ抜止部は、ハ字形に突出するようにしたことを特徴とする請求項１〜請求項３の何れか１項に記載の帆立貝係止ピン。
【請求項６】
前記帆立貝係止ピンは多数本平行に配置され、係止ピンの２本のロープ抜止部の先端部を、隣接する係止ピンの段差軸部の軸部分に連結片で連結し、多数の係止ピンを帯状に連結したことを特徴とする請求項１記載の帆立貝係止ピン。
【考案の詳細な説明】
【技術分野】
【０００１】
本考案は、帆立貝の養殖に用いる合成樹脂製の係止ピンの改良に関するものである。
【背景技術】
【０００２】
帆立貝の養殖に際し、係止ピンをロープに通し、係止ピンの先端部に設けた係止部に、帆立貝の稚貝の耳片に設けた穿孔部に通し、海中にロープを垂らし、帆立貝を養殖する係止ピンは実用に供されている。
【０００３】
従来、養殖帆立貝の係止ピンが提案されている（例えば、特許文献１参照。）。
【特許文献１】特開２００２−１３６２４１公報
【０００４】
特許文献１の係止ピンは可撓性を有する合成樹脂で形成され、尖鋭な軸部の先端部に切り起こした円弧の抜け止め片を軸部の軸方向中央部方向に延出し、且つ軸部の外方に湾曲、突出させたものである。軸部の先端部は∠状の銛状となっており、∠状の銛状の帆立貝係止部は、軸部の両端部に形成されている。
【０００５】
図７の（ａ）〜（ｃ）は、以上で述べた従来の係止ピンによる帆立貝の養殖を説明する図で、従来の問題点を指摘する図である。
図７（ａ）で示したように、係止ピン１００は軸部１０１の両端部を尖鋭な先端部１０２，１０２とし、これの軸方向の中央部寄り部分に同方向外方に切り起こした帆立貝係止部１０３，１０３を∠状（両端部で対称）に形成し、係止部１０３，１０３は、軸部１０１の先部を鋭角な∠状に切り起こして切り欠き部１０４，１０４とし、切り欠き部１０４，１０４で切り起こした切り起こし片を係止部１０３，１０３とする。軸部１０１の軸方向中間部にはハ字形にロープの抜け止め部１０５を突設する。
【０００６】
ロープ１０９には、長さ方向に所定ピッチ離間して多数の通し孔を設け、係止ピン１００を一方の先端部１０２から挿入し、抜け止め部１０５でロープ１０９を両側から挟み込んで係止ピン１００をロープ１０８に止着し、帆立貝１０６の耳片１０７に係止孔１０８（図７（ｃ）参照）を設け、係止孔１０８に係止ピン１００の先端部１０２に通す。
抜け止め片１０３は、係止孔１０８を通って外方に拡開し、耳片１０７の係止孔１０８の周辺部に当たって抜け止め作用を果たす。
この状態を図７の（ａ）で示し、初期の設定状態では、係止ピン１００の係止部１０３は上方を向いており、ロープ１０８は海中に垂らして帆立貝を養殖する。
【０００７】
帆立貝の養殖途中において、波浪や係止した帆立貝の運動等に起因して係止ピン１００が図７の（ｂ）の矢印で示したように回転する場合が往々にしてある。
この結果帆立貝１０６を係止ピン１００の先端部に係止している係止部１０３が下向きとなる場合がある。
一方帆立貝１０６は、耳片１０７を上部として下方に垂れ下がって係止されており、係止部１０３が下向きとなった場合、係止部１０３は、帆立貝１０６の弧状の肩部１０６ａに当接して上方に屈曲し、屈曲は切り欠き部１０４でこれと重なるように大きな屈曲（縮閉）が許容され、係止部１０３の端部１０３ａが係止孔１０７近傍に到り、帆立貝１０６の係止ピン１００の軸方向の運動等により係止部１０３の端部１０３ａと係止孔１０７とが一致し、鎖線１００Ａに示すように係止孔１０７から係止部１０３が抜ける場合がある。
【０００８】
この結果、帆立貝が係止ピン１００から脱落する。
このことは、時間とともに帆立貝は成長し、成長過程で係止ピンが回転し、帆立貝が成長過程で係止ピンの軸方向にも大きな運動を行ったりする場合があり、又海流等の影響によるロープ１０８の海中での揺れ等も加わり、上記した状態となって、帆立貝が係止ピンから脱落する場合がある。
このことは帆立貝の養殖上大きな問題である。
本考案は、以上の従来技術の問題点に鑑み、これを解決すべくなされたものである。
【考案の開示】
【考案が解決しようとする課題】
【０００９】
本考案は、帆立貝養殖において、帆立貝の成長過程での運動や、波浪、海中におけるロープの揺れ等の影響でロープに係止されている係止ピンが回転して反転し、帆立貝が反転した係止部から脱落するのを防止するようにし、帆立貝養殖を効率良く行い得るようにした帆立貝係止ピンを提供することを課題とする。
【課題を解決するための手段】
【００１０】
請求項１に係る考案は、中間部に主たる軸部と平行な段差軸部を備えるクランク軸状の軸部材と、該軸部材の主たる軸部の両端部に帆立貝を係止する帆立貝係止部を備え、前記段差軸部の両端部と主たる軸部とを繋ぐ連結部を、段差軸部の径方向外方に延出し、該段差軸部の軸部分を軸方向に離間して挟む２本のロープ抜止部を設けたことを特徴とする。
【００１１】
請求項２に係る考案は、中間部に主たる軸部と平行な段差軸部を備えるクランク軸状の軸部材と、該軸部材の主たる軸部の両端部に帆立貝を係止する帆立貝係止部を備え、前記段差軸部の軸部分の軸方向両側部に、該軸部分の軸方向に離間し、径方向外方に突出する２本のロープ抜止部を設けたことを特徴とする。
【００１２】
請求項３に係る考案は、中間部に主たる軸部と平行な段差軸部を備えるクランク軸状の軸部材と、該軸部材の主たる軸部の両端部に帆立貝を係止する帆立貝係止部を備え、前記主たる軸部の径方向外方に２本のロープ抜止部を突設し、該ロープ抜止部は前記段差軸部の両端部と主たる軸部とを繋ぐ連結部の軸方向外方に近接して設けたことを特徴とする。
【００１３】
請求項４に係る考案は、請求項１〜請求項３の何れか１項において、前記主たる軸部と段差軸部の両端部とを繋ぐ連結部は、対称的に軸方向外方に傾斜していることを特徴とする。
【００１４】
請求項５に係る考案は、請求項１〜請求項３の何れか１項において、前記２本のロープ抜止部は、ハ字形に突出するようにしたことを特徴とする。
【００１５】
請求項６に係る考案は、請求項１において、前記帆立貝係止ピンは多数本平行に配置され、係止ピンの２本のロープ抜止部の先端部を、隣接する係止ピンの段差軸部の軸部分に連結片で連結し、多数の係止ピンを帯状に連結したことを特徴とする。
【考案の効果】
【００１６】
請求項１に係る考案では、クランク軸状の軸部材の段差軸部の両端部と主たる軸部とを繋ぐ連結部を、段差軸部の径方向外方に延出し、段差軸部の軸部分を軸方向に離間して挟む２本のロープ抜止部を設けた。従って本考案では係止ピンのロープからの抜け出しを防止し、ロープに確実に係止ピンを保持しつつ、係止部に帆立貝を係止した状態でロープに係止された係止ピンが、帆立貝の運動や波浪、ロープの揺れ等の影響で反転した際、係止ピンがクランク軸状であり、ロープに貫通、保持されている段差軸部がクランク部を構成し、帆立貝の自重で再反転して正常姿勢に復帰する。
従って、係止ピンが反転したままの状態で発生した、係止部からの帆立貝の抜け出し、脱落を防止し、効率の良い帆立貝養殖を行うことができる。
【００１７】
請求項２に係る考案では、クランク軸状に形成した軸部材の段差軸部の軸部分の軸方向両側部に、軸部分の軸方向に離間し、径方向外方に突出する２本のロープ抜止部を設けた。従って本考案では係止ピンのロープからの抜け出しを防止し、ロープに確実に係止ピンを保持しつつ、係止部に帆立貝を係止した状態でロープに係止された係止ピンが、帆立貝の運動や波浪、ロープの揺れ等の影響で反転した際、係止ピンがクランク軸状であり、ロープに貫通、保持されている段差軸部がクランク部を構成し、帆立貝の自重で再反転して正常姿勢に復帰する。
従って、係止ピンが反転したままの状態で発生した、係止部からの帆立貝の抜け出し、脱落を防止し、効率の良い帆立貝養殖を行うことができる。
【００１８】
請求項３に係る考案では、クランク軸状の軸部材の主たる軸部の径方向外方に２本のロープ抜止部を突設し、ロープ抜止部は段差軸部の両端部と主たる軸部とを繋ぐ連結部の軸方向外方に近接して設けた。従って本考案では係止ピンのロープからの抜け出しを防止し、ロープに確実に係止ピンを保持しつつ、係止部に帆立貝を係止した状態でロープに係止された係止ピンが、帆立貝の運動や波浪、ロープの揺れ等の影響で反転した際、係止ピンがクランク軸状であり、ロープに貫通、保持されている段差軸部がクランク部を構成し、帆立貝の自重で再反転して正常姿勢に復帰する。
従って、係止ピンが反転したままの状態で発生した、係止部からの帆立貝の抜け出し、脱落を防止し、効率の良い帆立貝養殖を行うことができる。
【００１９】
請求項４に係る考案では、請求項１〜請求項３の何れか１項において、主たる軸部と段差軸部の両端部とを繋ぐ連結部を対称的に軸方向外方に傾斜させたので、請求項１〜請求項３何れか１項記載の効果に加えるに、連結部が傾斜しているので、連結部が容易に撓み、ロープへの係止ピンの挿入に際し、係止ピンの連結部、段差軸部のロープへの挿入が円滑に、容易となり、係止ピンのロープへの係止作業性が向上する。
【００２０】
請求項５に係る考案では、請求項１〜請求項３の何れか１項において、２本のロープ抜止部をハ字形に突出するようにしたので、係止ピンのロープの係止、保持を確実化し、又抜止部のロープへの挿入が円滑に、容易となる。
【００２１】
請求項６に係る考案では、請求項１において、多数の係止ピンを平行に配置し、隣接する係止ピンの段差軸部の軸部分を連結片で連結し、多数の係止ピンを帯状に連結したので、請求項１の効果に加えるに、請求項１の効果を有する係止ピンを、ロール状に巻回してストックしたり、巻回した帯状係止ピンをほぐすことで、係止ピンのロープへの係止（ピンセッター等による係止ピンのロープへの係止）を自動化することが容易に出来る等の利点がある。
【考案を実施するための最良の形態】
【００２２】
本考案を実施するための最良の形態を添付図に基づいて以下に説明する。なお、図面は符号の向きに見るものとする。
図１は、本考案の第１の実施の形態に係る係止ピンの全体を示す側面図である。
１は係止ピンを示し、両側に直線状で同軸線を有する左右の主たる軸部３，３と、この間の中間部にあって、主たる軸部３，３と平行な段差軸部４を備え、全体としてクランク軸状の軸部材２で構成される。
【００２３】
軸部材２の中間の段差軸部４は、主たる軸部３，３の基端部３ａ，３ａと連結部５，５を介して連結されている。連結部５，５は、対称的に軸方向内方に傾斜し径方向外方に突出しており、ハ形をなす。連結部５，５の端部は、主たる軸部３，３に対し径方向外方に離間し、且つ主たる軸部３，３と平行な段差軸部４の両端部と一体に連結されており、この部分でクランク軸状となる。
この連結部５，５は、その先端部を段差軸部４の外方に一体に延出し、ハ形のロープ抜止部６，６を段差軸部４の外方に延設する。
【００２４】
主たる軸部３，３の各先端部には先端を尖鋭とした帆立貝係止部７，７を設け、帆立貝係止部は実施の形態では横Ｖ形とし、一方の片７ａを大きく、他方の片７ｂを小さく設定し、抜け止め効果を大きくした。
尚、帆立貝係止部７，７の形状は、前記した従来例と同様に∠状でも良い。
以上の係止ピンは、可撓性を有する合成樹脂で全一体に形成されている。
【００２５】
図２の（ａ）〜（ｃ）は、本考案に係る係止ピンの反転時における再反転復帰作用を示す説明図である。
（ａ）は、ロープ３０に係止ピン１を通し、係止ピンの両端部の係止部７，７に帆立貝３１，３１の耳片３２，３２を穿孔部を介して通し、帆立貝３１，３１を吊り下げて保持した状態を示しており、ロープ３０は段差軸部４に臨み、ロープ抜止部６，６間にロープ３０は保持されている。
【００２６】
この状態で、海中にロープ３０は吊り下げられ、帆立貝３１の養殖を行うものであるが、帆立貝３１の運動や波浪、海流の影響等で係止ピン１が図２の（ａ）に示す矢印ｄのように、ロープ３０に対して回転する場合がある。
この回転で係止ピン１は反転し、係止ピン１は図２の（ｂ）の状態となる。
この結果、係止ピン１は、図２の（ａ）に示したロープ３０の正常姿勢に対し、１８０°位相がズレることとなる。
【００２７】
この結果、前記した図７の（ｂ）、（ｃ）に示した状態となり、帆立貝３１は係止ピン１の係止部１０３から抜け出し、脱落する虞がある。
係止ピンはクランク軸状であり、クランク部を構成する段差軸部４でロープ３０に貫通、支持されているので、両端部の帆立貝３１，３１の自重により、図２（ｂ）の矢印ｅで示したような反転する回転力が作用する。
この結果、係止ピン１は同方向の回転、或いは逆回転して再反転し、図２の（ｃ）に示すように正常姿勢に復帰する。
【００２８】
以上の通り、本考案に係る係止ピン１は、クランク軸状をなし、クランク部である段差軸部４でロープ３０に抜止部６，６で軸方向移動を規制されつつ係止、保持されているので、正常姿勢から反転した場合でも、迅速、確実、容易に再反転し、正常姿勢に復帰するので、係止ピンの係止部から帆立貝が抜け出すことを防止することができる。
【００２９】
図３は、多数の係止ピンを帯状に連結した実施例の説明図である。
多数の係止ピン１…（…は複数を表す。以下同じ）を軸部２が平行となるように隣接して並置する。
各係止ピン１…は、一方の係止ピンの段差軸部４のロープ抜止部６，６を有する側の反対側の周面と、隣接する他方の係止ピンの２本のロープ抜止部の先端部とを、可撓性、柔軟性に富む連結片８，８で連結する。
これにより、多数の係止ピン１…を帯状に連結した係止ピン帯状体９…を形成する。
【００３０】
以上の帯状体９では、連結片８，８の部分が柔軟性を有し、容易に撓曲するので、ロール状に巻回することができ、係止ピンを巻回ロール状とすることができるので、ストック上有利であり、又巻回したロールを軸支して巻き戻す等して係止ピンを個々に分離したり、ピンセッターによりロープに打ち込むことができ、ロープへの係止ピンの係止作業の自動化上も有利である。
【００３１】
図４は、本考案の第２の実施の形態に係る係止ピンの全体を示す側面図である。
係止ピン１１は、クランク軸状の軸部材１２からなり、先端部に帆立貝係止部１７，１７を形成した主たる軸部１３，１３間に段差軸部１４を備える。段差軸部１４は対称的に向かい合うように傾斜した連結部１５，１５で主たる軸部１３，１３の一体に連結し、この部分でハ形の逆凹状のクランク部を構成する。
【００３２】
本実施の形態では、段差軸部１４の軸方向長さが前記した第１の実施の形態の段差軸部４よりも長く設定されており、該段差軸部１４の連結部１５，１５と反対側の軸周に２本のロープ抜止部１６，１６を一体に突設する。
ロープ抜止部１６，１６は、ハ形をなし、この間の間隔はロープの外径と略々一致させる。
以上の係止ピン１１は、各部を全一体に成形する。
【００３３】
図５は、図４の実施の形態における係止ピンを複数個一体化して形成した実施例を示す図である。
複数の係止ピン１１…を軸部材１２が相互に平行するように並置し、軸部１３，１３の各端部の係止部１７，１７の各外側に平行するように枠部材１８，１８を配置し、枠部材１８，１８の内端部を係止部１７，１７に連結する。
以上により梯子状の係止ピンユニット１９を形成する。
【００３４】
図６は、本考案の第３の実施の形態に係る係止ピンの全体を示す側面図である。
係止ピン２１は、クランク軸状の軸部材２２からなり、先端部に帆立貝係止部２７，２７を形成した軸部２３，２３間に段差軸部２４を備える。段差軸部２４は、対称的に向かい合うように傾斜した連結部２５，２５で主たる軸部２３，２３に一体に連結し、この部分でハ形の逆凹状のクランク部を構成する。
【００３５】
本実施の形態では、段差軸部２４の軸方向長さが短く設定されており、該段差軸部２４長さはロープの径と略等しい。段差部２４と軸部２３，２３とを連結する連結部２５，２５の外側で、軸部２３，２３の外周上部には、連結部２５，２５と平行するように、互いに、軸方向内側に、対称的に傾斜したロープ抜止部２６，２６を突設する。ロープ抜止部２６，２６はハ形をなし、この間の間隔は、ロープの外径と略々一致する。
以上の係止ピン１１は、各部を全一体に成形する。
【産業上の利用可能性】
【００３６】
本考案に係る係止ピンは、帆立貝養殖に好適である。
【図面の簡単な説明】
【００３７】
【図１】本考案の第１の実施の形態に係る係止ピンの全体を示す側面図である。
【図２】（ａ）〜（ｃ）は、本考案に係る係止ピンの反転時における再反転復帰作用を示す説明図である。
【図３】多数の係止ピンを帯状に連結した実施例の説明図である。
【図４】本考案の第２の実施の形態に係る係止ピンの全体を示す側面図である。
【図５】図４の実施の形態における係止ピンを複数個一体化して形成した実施例を示す図である。
【図６】本考案の第３の実施の形態に係る係止ピンの全体を示す側面図である。
【図７】（ａ）〜（ｃ）は、従来の係止ピンによる帆立貝の養殖を説明する図で、従来の問題点を指摘する図である。
【符号の説明】
【００３８】
１，１１，２１…係止ピン、  ２，１２，２２…クランク状軸部材、  ３，１３，２３…軸部、  ４，１４，２４…段差軸部、  ５，１５，２５…連結部、  ６，１６，２６…ロープ抜止部、  ７，１７，２７…帆立貝係止部。
【図１】
0003114616.tif 000003
【図２】
0003114616.tif 000004
【図３】
0003114616.tif 000005
【図４】
0003114616.tif 000006
【図５】
0003114616.tif 000007
【図６】
0003114616.tif 000008
【図７】
0003114616.tif 000009